(57)【特許請求の範囲】
【請求項１】
測定対象伝送路の信号伝送状態を測定する複数の外部機器（Ｍ1〜Ｍ4）から取得した各測定対象伝送路の信号伝送状態をグラフ表示するデータ表示装置であって、
各測定対象伝送路について、測定開始からどれだけの時間が経過した時点で異常が発生したかを初期画面（Ｇ1）としてグラフ表示し、特定の外部機器（Ｍ1）が指定されると、当該特定の外部機器（Ｍ1）に関する測定対象伝送路のみについて、測定開始からどれだけの時間が経過した時点で異常が発生したか及び異常発生回数を前記初期画面に代えて２次画面（Ｇ2）としてグラフ表示することを特徴とするデータ表示装置。
【請求項２】
２次画面（Ｇ2）は、測定対象伝送路を伝送される信号の構成単位毎に測定開始からどれだけの時間が経過した時点で異常が発生したかをグラフ表示することを特徴とする請求項１記載のデータ表示装置。
【請求項３】
２次画面（Ｇ2）において異常発生した構成単位が指定されると、測定開始からどれだけの時間が経過した時点で異常が発生したかのグラフ表示に加えて異常発生回数をもグラフ表示することを特徴とする請求項２記載のデータ表示装置。
【発明の詳細な説明】
【０００１】
【発明の属する技術分野】
本発明は、複数のデータを同時に表示するデータ表示装置に関する。
【０００２】
【従来の技術】
従来のデータ表示装置は、例えば各測定モジュール（外部機器）で複数の測定対象伝送路について測定された信号伝送状態を以下のように表示する。すなわち、表示に必要な測定データを全測定モジュールから全て取得し、続いて予め記憶された絶対表示位置情報と表示領域サイズに基づいて第１の測定モジュールの測定データの表示位置を決定してグラフ表示し、さらに第２の測定モジュールの測定データの表示位置を上記第１の測定モジュールの測定データに重ならないように設定してグラフ表示する。そして、第３以降の測定モジュールの測定データについても、先に表示されている測定データの重ならないように位置設定して順次グラフ表示する。
【０００３】
【発明が解決しようとする課題】
ところで、上記データ表示方法では、測定モジュールの個数ｎと各測定モジュールの測定項目数ｍが増えた場合に、全ての測定データをグラフ表示することが困難である。また、全ての測定データをグラフ表示することができたとしても、画面上に多数のグラフが表示されることになるので、個々の測定モジュールについて測定項目の値やその経時変化を的確に把握することは極めて困難である。
【０００４】
本発明は、上述する問題点に鑑みてなされたもので、全外部機器から取得したデータを限られた表示領域に効率良く表示することにより、データの概要と詳細とを的確に把握することを目的とする。
【０００５】
【課題を解決するための手段】
上記目的を達成するために、本発明では、第１の手段として、複数の外部機器から取得した各データをグラフ表示するデータ表示装置であって、各外部機器に関するデータの概要を初期画面としてグラフ表示し、特定の外部機器が指定されると、当該特定の外部機器に関するデータの詳細を前記初期画面に代えて２次画面としてグラフ表示するという手段を採用する。
【０００６】
また、第２の手段として、上記第１の手段において、外部機器は測定対象伝送路の信号伝送状態を測定する測定モジュールであり、データは前記信号伝送状態であるという手段を採用する。
【０００７】
第３の手段として、上記第２の手段において、初期画面は、測定対象伝送路における信号伝送の異常発生時刻を各外部機器毎にグラフ表示するという手段を採用する。
【０００８】
第４の手段として、上記第２または第３の手段において、２次画面は、測定対象伝送路を伝送される信号の構成単位毎の異常発生時刻をグラフ表示するという手段を採用する。
【０００９】
第５の手段として、上記第４の手段において、２次画面において異常発生した構成単位が指定されると、異常発生時刻のグラフ表示に加えて異常発生回数をもグラフ表示するという手段を採用する。
【００１０】
【発明の実施の形態】
以下、図面を参照して、本発明に係わるデータ表示装置の一実施形態について説明する。
【００１１】
図１は、本実施形態の機能構成を示すシステム構成図である。この図１において、符号Ｈはデータ表示装置、Ｍは伝送路測定装置、Ｎは通信路（例えば、ＧＰ−ＩＢやＴＣＰ／ＩＰ等）である。データ表示装置Ｈは、データ処理装置１、表示処理部２、表示装置３、通信装置４、入力装置５及び記憶装置６から構成されている。一方、伝送路測定装置Ｍは、測定モジュールＭ1〜Ｍ4（外部機器）、モジュール制御部７、通信制御部８及び通信装置９から構成されており、通信路Ｎによってデータ表示装置Ｈと接続されている。
【００１２】
伝送路測定装置Ｍについて先に説明すると、測定モジュールＭ1〜Ｍ4は、各々に割り当てられた測定対象伝送路Ｓ1〜Ｓ4（例えば光ファイバ）の信号伝送状態を測定し、測定データとしてモジュール制御部６に出力する。すなわち、第１の測定モジュールＭ1は、測定対象伝送路Ｓ1の信号伝送状態を測定し、当該信号伝送状態を自らの機器番号１（つまり測定対象伝送路Ｓ1）に関連付けた測定データＤ1としてモジュール制御部７に出力する。
【００１３】
また、第２の測定モジュールＭ2は、測定対象伝送路Ｓ2の信号伝送状態を測定し、当該信号伝送状態を自らの機器番号２（つまり測定対象伝送路Ｓ2）に関連付けた測定データＤ2としてモジュール制御部７に出力し、第３の測定モジュールＭ3は、測定対象伝送路Ｓ3の信号伝送状態を測定し、当該信号伝送状態を自らの機器番号３（つまり測定対象伝送路Ｓ3）に関連付けた測定データＤ3としてモジュール制御部７に出力し、さらに第４の測定モジュールＭ4は、測定対象伝送路Ｓ4の信号伝送状態を測定し、当該信号伝送状態を自らの機器番号４（つまり測定対象伝送路Ｓ4）に関連付けた測定データＤ4としてモジュール制御部７に出力する。
【００１４】
ここで、各測定モジュールＭ1〜Ｍ4の測定項目は、各測定対象伝送路Ｓ1〜Ｓ4における伝送信号の異常であり、より具体的には伝送信号を構成する４つの構成単位Ｂ1，Ｂ2，ＭＳ−ＲＥＩ，ＨＰ−ＲＥＩにおける異常発生時刻（測定開始後の時刻）及び異常発生回数である。各測定モジュールＭ1〜Ｍ4は、各構成単位Ｂ1，Ｂ2，ＭＳ−ＲＥＩ，ＨＰ−ＲＥＩについて異常を検出すると、異常発生時刻と異常発生回数とを測定データＤ1〜Ｄ4としてモジュール制御部７に出力する。なお、本実施形態は、このように４つの測定モジュールＭ1〜Ｍ4を有するものではあるが、測定モジュールの個数は４つに限定されるものではなく、さらに多数であっても良い。
【００１５】
モジュール制御部７は、上記各測定モジュールＭ1〜Ｍ4の測定動作を制御するものであり、当該各測定モジュールＭ1〜Ｍ4から入力された各測定データＤ1〜Ｄ4を通信制御部８に出力する。通信制御部８は、通信装置９による各測定データＤ1〜Ｄ4の送信を制御するものである。通信装置９は、通信制御部８による制御の下に各測定データＤ1〜Ｄ4を通信装置４に送信する。
【００１６】
一方、データ表示装置Ｈにおけるデータ処理装置１は、記憶装置６に予め記憶されたデータ処理プログラムに基づいて動作する演算装置であり、データ表示装置Ｈの全体動作を制御する。また、このデータ処理装置１は、上記データ処理プログラムに基づいて各測定データＤ1〜Ｄ4等の情報を処理することにより、各測定対象伝送路Ｓ1〜Ｓ4の概要状態をグラフ表示するための初期画面用表示データ、及び各測定対象伝送路Ｓ1〜Ｓ4の詳細状態をグラフ表示するための２次画面用表示データを生成して表示処理部２に出力する。なお、当該データ処理装置１の処理動作の詳細については後述する。
【００１７】
表示処理部２は、上記初期画面用表示データあるいは２次画面用表示データをを画像データに変換して表示装置３に出力する。表示装置３は、この画像データに基づいて初期画面あるいは２次画面を表示する。通信装置４は、伝送路測定装置Ｍの通信装置９との通信を行うものであり、当該通信装置９から各測定データＤ1〜Ｄ4を受信してデータ処理装置１に出力する。
【００１８】
入力装置５は、データ処理装置１に初期画面あるいは２次画面の指定情報や伝送路測定装置Ｍの各動作に関する指示情報を入力するためのものであり、例えばキーボードやマウスである。記憶装置６は、上記データ処理プログラムを記憶すると共に、各測定データＤ1〜Ｄ4を各測定モジュールＭ1〜Ｍ4毎つまり機器番号１〜４毎に分類して順次蓄積記憶する。
【００１９】
次に、このように構成された本実施形態の動作について、図２に示すフローチャートに沿って詳しく説明する。なお、このフローチャートは、データ処理プログラムに基づくデータ処理装置１の処理手順を示すものである。
【００２０】
まず最初に、入力装置５に測定開始指示が入力されると、データ処理装置１は、この測定開始指示を通信装置４及び通信路Ｎを介して伝送路測定装置Ｍに伝送する。伝送路測定装置Ｍの通信制御部８は、上記測定開始指示が通信装置９で受信されると、当該測定開始指示をモジュール制御部７に転送する。モジュール制御７は、このようにして測定開始指示が入力されると、各測定モジュールＭ1〜Ｍ4に測定開始の指示を出力し、この結果、各測定モジュールＭ1〜Ｍ4は、各測定対象伝送路Ｓ1〜Ｓ4の信号伝送状態の測定を開始する。なお、各測定モジュールＭ1〜Ｍ4における信号伝送状態の測定間隔は、例えば約１秒間隔である。
【００２１】
すなわち、各測定モジュールＭ1〜Ｍ4は、測定開始指示が入力されると、各測定対象伝送路Ｓ1〜Ｓ4について伝送信号の各構成単位Ｂ1，Ｂ2，ＭＳ−ＲＥＩ，ＨＰ−ＲＥＩにおける異常発生時刻と異常発生回数との計測を開始する。
【００２２】
一方、データ処理装置１は、通信装置４を介して伝送路測定装置Ｍから各測定モジュールＭ1〜Ｍ4の各測定データＤ1〜Ｄ4を所定のタイムインターバルで順次取得し（ステップＳ1）、記憶装置６に各測定モジュールＭ1〜Ｍ4毎に分類して順次記憶・蓄積する（ステップＳ2）。すなわち、記憶装置６には、測定開始から時間が経過するに従って、各測定モジュールＭ1〜Ｍ4が取得した各測定データＤ1〜Ｄ4が複数蓄積される。
【００２３】
また、データ処理装置１は、各測定データＤ1〜Ｄ4が各測定対象伝送路Ｓ1〜Ｓ4の異常を示しているか否かを監視する（ステップＳ3）。そして、異常の発生を検出した場合（Ｙｅｓの場合）は、異常が発生した測定モジュール（例えば測定モジュールＭ1）の異常発生した構成単位Ｂ1，Ｂ2，ＭＳ−ＲＥＩ，ＨＰ−ＲＥＩにエラーフラグを設定し（ステップＳ4）、記憶装置６から全測定データＤ1〜Ｄ4を読み出し（ステップＳ5）、一方、異常が発生していない場合（Ｎｏの場合）には、記憶装置６から全測定データを直接読み出す（ステップＳ5）。
【００２４】
データ処理装置１は、このようにして記憶装置６から全測定データＤ1〜Ｄ4を読み出すと、これに基づいて初期画面用表示データと２次画面用表示データとを生成し（ステップＳ6）、前者の初期画面用表示データを表示処理部２に出力する（ステップＳ7）。この結果、表示処理部２は初期画面用表示データを画像データに変換して表示装置３に出力し、当該表示装置３に図３に示す初期画面Ｇ1が表示される。
【００２５】
この初期画面Ｇ1には、測定開始後の時間を横軸、各測定モジュールＭ1〜Ｍ4の機器番号１〜４の異常（Error）を縦軸とするグラフａ1が表示されると共に、各機器番号１〜４毎に２次画面の表示を指示するための操作ボタンｂ1〜ｂ4が表示される。グラフａ1は、一例として機器番号１（測定モジュールＭ1）の測定対象である測定対象伝送路Ｓ1で計測開始から３０秒後に、機器番号３（測定モジュールＭ3）の測定対象である測定対象伝送路Ｓ3で計測開始から５０秒後に、また機器番号４（測定モジュールＭ4）の測定対象である測定対象伝送路Ｓ4で計測開始から２０秒後に何らかの異常がそれぞれ発生したことを示している。
【００２６】
このような初期画面Ｇ1に対して、例えば操作ボタンｂ1が操作されると（ステップＳ8）、データ処理装置１は、２次画面用表示データを表示処理部２に出力し（ステップＳ9）、表示装置３に初期画面Ｇ1に代えて２次画面Ｇ2（図４参照）を表示させる。なお、この初期画面Ｇ1に代える２次画面Ｇ2の表示指示は、入力装置５からもデータ処理装置１に入力することができる。
【００２７】
図４に示すように、２次画面Ｇ2は、測定対象伝送路Ｓ１の異常に関する詳細、つまり測定対象伝送路Ｓ１の伝送信号の各構成単位Ｂ1，Ｂ2，ＭＳ−ＲＥＩ，ＨＰ−ＲＥＩの何れにどの時点で異常が発生したかを示すグラフｃ1と各構成単位Ｂ1，Ｂ2，ＭＳ−ＲＥＩ，ＨＰ−ＲＥＩについて異常発生回数の表示を指示するための操作ボタンｄ1〜ｄ4が表示される。この図では、測定対象伝送路Ｓ１の構成単位Ｂ2について、計測開始から３０秒後に異常が発生したことを示している。このような２次画面Ｇ2で異常が生じている構成単位Ｂ2の操作ボタンｄ2を操作すると、構成単位Ｂ2の異常発生回数を示すグラフｃ2が２次画面が下方に拡張されて追加表示される。
【００２８】
このような初期画面Ｇ1及び２次画面Ｇ2の表示によって各測定対象伝送路Ｓ1〜Ｓ4の異常状態に関する概要及び詳細が把握され、入力装置５から測定終了指示が入力されると（ステップＳ10）、データ処理装置１は、全ての処理を終了する一方、測定継続指示が入力されると（ステップＳ10）、処理をステップＳ1に戻して上述した各処理を繰り返す。
【００２９】
本実施形態によれば、初期画面Ｇ1によって各測定対象伝送路Ｓ1〜Ｓ4の異常状態に関する概要を把握し、この初期画面Ｇ1に代えて表示される２次画面Ｇ2によって各測定対象伝送路Ｓ1〜Ｓ4の異常状態に関する詳細を把握することができる。また、初期画面Ｇ1に代えて２次画面Ｇ2を表示するので、表示装置３上の限られた表示領域を効率良く利用することができる。
【００３０】
なお、図５は、表示装置３の表示領域の全体を示している。表示装置３には、上述した各測定データＤ1〜Ｄ4に基づく初期画面Ｇ1や２次画面Ｇ2だけではなく、測定条件等の各種設定情報を示す設定画面Ｇ3〜Ｇ5が表示されており、したがって測定データＤ1〜Ｄ4に加えて多くの情報が表示されている。このような表示装置３において、各測定データＤ1〜Ｄ4を初期画面Ｇ1や２次画面Ｇ2として表示することにより、各測定データＤ1〜Ｄ4に関する表示領域を抑えつつ、各測定対象伝送路Ｓ1〜Ｓ4の概要及び詳細を極めて解り易く表示することができる。
【００３１】
【発明の効果】
以上説明したように、本発明によれば、各外部機器に関するデータの概要を初期画面としてグラフ表示し、特定の外部機器が指定されると、当該特定の外部機器に関するデータの詳細を初期画面に代えて２次画面としてグラフ表示するので、全外部機器から取得したデータを限られた表示領域に効率良く表示することができると共に、データの概要と詳細とを容易に把握することができる。
【図面の簡単な説明】
【図１】  本発明の一実施形態のシステム構成図である。
【図２】  本発明の一実施形態におけるデータ処理装置の処理手順を示すフローチャートである。
【図３】  本発明の一実施形態における初期画面Ｇ1の表示例である。
【図４】  本発明の一実施形態における２次画面Ｇ2の表示例である。
【図５】  本発明の一実施形態における表示領域の全体を示す図である。
【符号の説明】
Ｈ……データ表示装置
Ｍ……伝送路測定装置
Ｍ1〜Ｍ4……測定モジュール（外部機器）
Ｎ……通信路
Ｓ1〜Ｓ4……測定対象伝送路
１……データ処理装置
２……表示処理部
３……表示装置
４……通信装置
５……入力装置
６……記憶装置
７……モジュール制御部
８……通信制御部
９……通信装置
Ｇ1……初期画面
Ｇ2……２次画面
ａ1，ｃ1，ｃ2……グラフ
ｂ1〜ｂ4，ｄ1〜ｄ4……操作ボタン
【図１】
0003937805.tif 000002
【図２】
0003937805.tif 000003
【図３】
0003937805.tif 000004
【図４】
0003937805.tif 000005
【図５】
0003937805.tif 000006